(57)【要約】【課題】前フィルム６１を遊技盤３０から剥離する最初の作業を円滑化すること。【解決手段】前フィルム６１には前タブ６８が形成されている。このため、製造者側で前タブ６８を掴んで前フィルム６１を遊技盤３０から剥離することができるので、前フィルム６１を遊技盤３０から剥離する最初の作業を円滑に行うことが可能になる。しかも、前タブ６８を覆う保護カバー７７が遊技盤３０に固定されている。このため、前タブ６８に手を触れることが禁止されている印象をパチンコホールの従業員に与えることができるので、前フィルム６１を剥がす役目にないパチンコホールの従業員が前タブ６８を掴んで前フィルム６１を遊技盤３０から勝手に剥がしてしまうことを防止できる。【選択図】図４
2007319215.tif 000002
【特許請求の範囲】
【請求項１】
台島に設置される外枠と、
前記外枠に設けられ、空間状の収納部を有する内枠と、
前記内枠の収納部内に着脱可能に設けられ、遊技球が転動可能な遊技領域を前面側に有する遊技盤と、
前記遊技盤の前記遊技領域内に剥離可能に接合され、外周縁の一部に摘みを有する保護シートと、
前記保護シートの摘みを覆うように前記遊技盤の前面に固定された保護カバーと
を備えたことを特徴とするパチンコ遊技機。
【請求項２】
前記遊技盤の前面に前記遊技領域を区画するように固定されたレール部材と、
前記遊技盤の前面および前記レール部材相互間に形成された空間状の挿入口を備え、
前記保護シートの摘みは、前記挿入口を通して前記遊技領域の外部に突出されていると共に前記遊技盤の外周面から突出することなく配置され、
前記挿入口は、前記摘みが前記遊技領域の外部から前記挿入口を通して前記遊技領域の内部に折返されることを許容するものであることを特徴とする請求項１に記載のパチンコ遊技機。
【発明の詳細な説明】
【技術分野】
【０００１】
本発明は、遊技盤の前面を汚損から守る保護シートを備えたパチンコ遊技機に関する。
【背景技術】
【０００２】
特開２００４−１６０２５４号公報にはベニヤ製の遊技盤の前面に保護シートを貼付し、遊技盤を再利用するときに遊技盤の前面から保護シートを剥離することで遊技盤の前面を簡単に美麗に維持する技術が開示されている。この公報には遊技盤の入賞口に沿って保護シートにミシン目を設け、保護シートを遊技盤の前面から剥離している最中に保護シートをミシン目から切断することで保護シートが入賞口に引掛ることを防止する技術が開示されている。
【特許文献１】特開２００４−１６０２５４号公報
【発明の開示】
【発明が解決しようとする課題】
【０００３】
上記公報の場合、保護シートを遊技盤から剥離している最中の作業を円滑化する配慮はなされているものの、保護シートを遊技盤から剥離する最初の作業を円滑化する配慮がなされておらず、保護シートを遊技盤から円滑に剥離する作業性の点で不十分である。
【０００４】
本発明は上記事情に鑑みてなされたものであり、その目的は、保護シートを遊技盤から剥離する最初の作業を円滑に行うことが可能なパチンコ遊技機を提供することにある。
【課題を解決するための手段】
【０００５】
１．請求項１記載のパチンコ遊技機の説明
請求項１記載のパチンコ遊技機は［１］外枠〜［５］保護カバーを備えたところに特徴を有している。
［１］外枠は台島に設置されるものであり、図１の符号１は外枠の一例である。
［２］内枠は外枠に設けられたものであり、空間状の収納部を有している。図２の符号２は内枠の一例であり、内枠２の遊技盤収納部５は収納部に相当する。
［３］遊技盤は内枠の収納部内に着脱可能に設けられたものであり、遊技球が転動可能な遊技領域を前面側に有している。図２の符号３０は遊技盤の一例であり、図４の符号３７は遊技盤３０の遊技領域を示している。
［４］保護シートは遊技盤の遊技領域内に剥離可能に接合されたものであり、外周縁の一部に摘みを有している。このため、保護シートを遊技盤から剥離するときに摘みを掴んで行うことができるので、保護シートを遊技盤から剥離する最初の作業を円滑に行うことが可能になる。図７の前フィルム６１と中フィルム６２と後フィルム６３のそれぞれは保護シートの一例であり、図７の前タブ６８は前フィルム６１の摘みに相当し、図７の中タブ６９は中フィルム６２の摘みに相当し、図７の後タブ７０は後フィルム６３の摘みに相当する。
［５］保護カバーは遊技盤の前面に固定されたものであり、保護シートの摘みは保護カバーによって覆われている。このため、例えば保護シートを剥がす役目にない（保護シートを剥がすことをメーカー側が想定していない）パチンコホールの従業員が摘みを掴んで保護シートを遊技盤から勝手に剥がしてしまうことを防止できる。従って、遊技盤を再利用するときに保護シートが既に剥がされている事態が発生し難くなるので、遊技盤を美麗なまま再利用することが摘みを設けた影響で不能になることを防止できる。図７の符号７７は保護カバーの一例である。
２．請求項２記載のパチンコ遊技機の説明
請求項２記載のパチンコ遊技機は［１１］レール部材および［１２］挿入口のそれぞれを新たに備えている。
［１１］レール部材は遊技盤の前面に遊技領域を区画するように固定されたものであり、図４の符号７６はレール部材の一例である。このレール部材７６は外レール３１および内レール３２を有するものであり、図４の符号３７は外レール３１および内レール３２が区画する遊技領域を示している。
［１２］挿入口は遊技盤の前面およびレール部材相互間に形成された空間状の部分である。図７の符号６７は挿入口の一例であり、保護シートの摘みは挿入口を通して遊技領域の外部に突出している。このため、摘みに遊技球が接触することがなくなる。従って、摘みが遊技球からの外力で捲れることがなくなるので、摘みの耐久性が向上する。この摘みは挿入口を通して遊技領域の外部に突出しているものの遊技盤の外周面からは突出していない。このため、遊技盤を内枠から取外す場合および遊技盤を内枠に取付ける場合のそれぞれに摘みが内枠に引掛ることがなくなるので、保護シートが外力で捲れることがなくなる。この摘みは遊技領域の外部から挿入口を通して遊技領域の内部に折返されるので、製造者側で摘みを遊技領域の外部から内部に挿入口を通して折返すことでレール部材に邪魔されることなく容易に操作することが可能になる。
【発明を実施するための最良の形態】
【０００６】
【実施例１】
【０００７】
図１の外枠１はパチンコホールの台島に設置されるものであり、前後面が開口する四角筒状をなしている。この外枠１には内枠２が左側部の垂直な軸３を中心に回動可能に装着されている。この内枠２は外枠１の前端面に接触する閉鎖状態および外枠１の前端面から前方へ離間する開放状態に相互に回動操作されるものであり、図１は内枠２を閉鎖状態で示している。この内枠２は、図２に示すように、前後面が開口する四角筒状をなすものであり、内枠２の下端部にはレール台４が形成され、内枠２の内部にはレール台４の上方に位置して遊技盤収納部５が形成されている。レール台４は発射レールが固定されるものであり、遊技盤収納部５は内枠２の内部空間のうちレール台４の残余部分を称する。この内枠２には４個の支え部６が形成されている。これら各支え部６は遊技盤収納部５内に突出する板状をなすものであり、上方の２個の支え部６のそれぞれにはＬ字状のストッパ７が前後方向へ延びる軸８を中心に回動可能に装着され、下方の２個の支え部６のそれぞれにはＬ字状のストッパ９が静止状態で固定されている。この遊技盤収納部５は収納部に相当するものである。
【０００８】
内枠２には、図１に示すように、下端部に位置して横長な長方形状の下皿板１０が固定されており、下皿板１０には上面が開口する下皿１１が固定されている。この下皿板１０の上方には上皿板１２が配置されており、上皿板１２には上面が開口する上皿１３が固定されている。この上皿板１２は横長な長方形状をなすものであり、内枠２に左側部の垂直な軸を中心に回動可能に装着されている。この上皿板１２は内枠２の前端面に接触する閉鎖状態および内枠２の前端面から前方へ離間する開放状態に軸を中心に相互に回動操作されるものであり、図１は上皿板１２を閉鎖状態で示している。
【０００９】
下皿板１０の前面には右端部に位置してハンドル台１４が固定されており、ハンドル台１４には発射ハンドル１５が前後方向へ延びる軸を中心に回動可能に装着されている。この発射ハンドル１５の後方には発射ソレノイドが固定されており、発射ハンドル１５が回動操作されたときには発射ソレノイドに駆動電源が与えられ、発ソレノイドの出力軸が駆動する。この発射ソレノイドの出力軸には、図２に示すように、発射装置１６が連結されている。この発射装置１６はレール台４に装着されたものであり、打球槌および駆動機構を有している。この駆動機構は発射ソレノイドを駆動源として打球槌を操作するものであり、打球槌は駆動機構によって操作されることに基づいて上皿１３内から供給される遊技球を叩き、遊技球をレール台４の発射レールに沿って発射する。
【００１０】
内枠２には、図１に示すように、窓枠１７が左側部の垂直な軸を中心に回動可能に装着されている。この窓枠１７は内枠２の前端面に接触する閉鎖状態および内枠２の前端面から前方へ離間する開放状態に相互に軸を中心に回動操作されるものであり、図１は窓枠１７を閉鎖状態で示している。この窓枠１７は円形孔状の窓部を有するものであり、窓部の内周面には透明な窓１８が固定されている。
【００１１】
内枠２の遊技盤収納部５内には、図２に示すように、遊技盤ユニット２０が着脱可能に収納されている。この遊技盤ユニット２０は、図３に示すように、遊技盤３０と裏樋８０と液晶ステー１００と下意匠板１２０と上意匠板１３０と裏樋カバー１４０と表示器ケース１５０と装飾図柄表示器１６０と表示基板ボックス１７０を有するものであり、遊技盤３０〜表示基板ボックス１７０の詳細構成は次の通りである。
１．遊技盤３０の説明
遊技盤３０は透明な合成樹脂製の板から構成されたものであり、遊技盤３０の前面には、図４に示すように、外レール３１および内レール３２が固定されている。これら外レール３１および内レール３２はレール部材７６を構成するものであり、外レール３１と内レール３２との間には発射通路３３が形成されている。この発射通路３３は遊技盤３０の左端部に位置する円弧状の空間部を称するものであり、発射装置１６が発射した遊技球は発射レールから発射通路３３内に発射通路３３の入口３４から進入し、発射通路３３に沿って円弧状の軌跡を描きながら上昇した後に発射通路３３の出口３５から放出される。
【００１２】
遊技盤３０の前面には、図４に示すように、右上部に位置して合成樹脂製の球止め部材３６が固定されている。この球止め部材３６は外レール３１の右端部と内レール３２の右端部との間の隙間を埋めるものであり、球止め部材３６と外レール３１と内レール３２との間には遊技領域３７が形成されている。この遊技領域３７は外レール３１と内レール３２と球止め部材３６によって囲まれた領域を称するものであり、発射通路３３および転動領域３８から構成されている。この転動領域３８は遊技領域３７のうち発射通路３３を除く円形状の部分を称するものであり、発射通路３３の出口３５から放出された遊技球が転動可能な最大範囲に相当する。
【００１３】
遊技盤３０の前面には、図４に示すように、飾りレール３９が固定されている。この飾りレール３９は転動領域３８内に配置されたものであり、飾りレール３９と外レール３１との間には球通路４０が形成され、飾りレール３９と内レール３２との間には球通路４１が形成されている。これら球通路４０および球通路４１のそれぞれは発射通路３３から転動領域３８内に放出された遊技球が転動可能なものであり、左方の球通路４１内には複数の釘４２が固定されている。これら各釘４２は遊技球が衝突することに基づいて遊技球の挙動に変化を付与するものであり、上方の球通路４０内には釘４２が固定されていない。遊技盤３０の前面には遊技領域３７の外部に位置して銘板台４３が固定されている。この銘板台４３の前面にはシールが貼付されており、シールには機種名・製造社名・大当り確率・賞品球の払出し個数が記入されている。
【００１４】
遊技盤３０には転動領域３８内に位置して電動始動装置４４および特別電動入賞装置４５が固定されており、転動領域３８内には電動始動装置４４の周辺部および特別電動入賞装置４５の周辺部のそれぞれに位置して複数の釘４２が固定されている。電動始動装置４４は上特別図柄始動口４６および下特別図柄始動口４７を上下２段に有するものであり、上特別図柄始動口４６および下特別図柄始動口４７のそれぞれは上面が開口するポケット状をなしている。これら上特別図柄始動口４６内および下特別図柄始動口４７内のそれぞれには特別図柄始動センサが装着されており、上特別図柄始動口４６内の特別図柄始動センサは遊技球が上特別図柄始動口４６内に入賞したことを検出して主制御回路に特別図柄始動信号を出力し、下特別図柄始動口４７内の特別図柄始動センサは遊技球が下特別図柄始動口４７内に入賞したことを検出して主制御回路に特別図柄始動信号を出力する。この主制御回路は内枠２に固定されたものであり、特別図柄始動信号を検出することに基づいて上皿１３内に設定個数の遊技球を賞品球として払出し、大当りおよび外れの判定処理を行う。
【００１５】
下特別図柄始動口４７には２枚の羽根板４８が装着されており、両羽根板４８は共通の始動口ソレノイドに連結されている。これら両羽根板４８は始動口ソレノイドが断電されることに基づいて垂直な縮小状態になるものであり、図４は両羽根板４８を縮小状態で示している。これら両羽根板４８の縮小状態では両羽根板４８相互間の隙間が上特別図柄始動口４６によって上方から閉鎖され、遊技球が下特別図柄始動口４７内に入賞することが不能になる。これら両羽根板４８は始動口ソレノイドが通電されることに基づいて水平な拡大状態に回動するものであり、両羽根板４８の拡大状態では下特別図柄始動口４７の左右両側部を落下する遊技球が羽根板４８によって捕捉されることに基づいて下特別図柄始動口４７内に入賞可能になる。
【００１６】
特別電動入賞装置４５は前面が開放する特別入賞口および扉４９を有するものであり、扉４９は特別入賞口ソレノイドに連結されている。この扉４９は特別入賞口ソレノイドの断電状態で垂直な閉鎖状態になることに基づいて特別入賞口の前面を遊技球が入賞不能に閉鎖するものであり、図４は扉４９を閉鎖状態で示している。この扉４９は特別入賞口ソレノイドの通電状態で前方へ水平に倒れた開放状態に回動するものであり、扉４９の開放状態では遊技球が扉４９に乗って特別入賞口内に転がり込むことが許容される。この特別入賞口内にはカウントセンサが装着されており、カウントセンサは遊技球が特別入賞口内に入賞したことを検出して主制御回路にカウント信号を出力し、主制御回路はカウント信号を検出することに基づいて上皿１３内に設定個数の遊技球を賞品球として払出す。
【００１７】
遊技盤３０には球通路４１内に位置して普通図柄始動ゲート５０が固定されている。この普通図柄始動ゲート５０は上下面が開口するコ字枠状をなすものであり、球通路４１内を落下する遊技球は普通図柄始動ゲート５０内に普通図柄始動ゲート５０の上面から進入し、普通図柄始動ゲート５０内に進入した遊技球は普通図柄始動ゲート５０内を普通図柄始動ゲート５０の下面から脱出する。この普通図柄始動ゲート５０内には普通図柄始動センサが固定されており、普通図柄始動センサは遊技球が普通図柄始動ゲート５０内を通過したことを検出して主制御回路に普通図柄始動信号を出力する。
【００１８】
遊技盤３０には、図３に示すように、始動口取付孔５１および特別入賞口取付孔５２が形成されており、始動口取付孔５１内には電動始動装置４４の樋５３が挿入され、特別入賞口取付孔５２内には特別電動入賞装置４５の樋５４が挿入されている。樋５３は電動始動装置４４の上特別図柄始動口４６および下特別図柄始動口４７の双方に接続されたものであり、上特別図柄始動口４６内に入賞した遊技球および下特別図柄始動口４７内に入賞した遊技球はいずれも樋５３に沿って後方へ転がる。樋５４は特別電動入賞装置４５の特別入賞口に接続されたものであり、特別入賞口内に入賞した遊技球は樋５４に沿って後方へ転がる。遊技盤３０には特別入賞口取付孔５２の下方に位置してアウト孔５５が形成されている。このアウト孔５５は、図４に示すように、内レール３２の最低部に配置されたものであり、上特別図柄始動口４６と下特別図柄始動口４７と特別入賞口のいずれにも入賞しなかった遊技球は内レール３２に沿ってアウト孔５５内に転がり込む。
【００１９】
遊技盤３０の前面には、図７に示すように、保護フィルム群６０が装着されている。この保護フィルム群６０は前フィルム６１と中フィルム６２と後フィルム６３を有するものであり、後フィルム６３は遊技盤３０の前面に剥離可能に貼付され、中フィルム６２は後フィルム６３の前面に剥離可能に貼付され、前フィルム６１は中フィルム６２の前面に剥離可能に貼付されている。これら前フィルム６１〜後フィルム６３は同一の無色透明な合成樹脂（例えばポリエチレン系樹脂またはポリエステル系樹脂またはポリプロピレン系樹脂）を材料に形成されたものであり、前フィルム６１の後面〜後フィルム６３の後面のそれぞれには粘着層が形成されている。これら各粘着層は粘着剤（例えばアクリル系粘着剤またはゴム系粘着剤）から形成されたものであり、前フィルム６１は粘着層を中フィルム６２の前面に貼付することで中フィルム６２に対して剥離可能にされ、中フィルム６２は粘着層を後フィルム６３の前面に貼付することで後フィルム６３に対して剥離可能にされ、後フィルム６３は粘着層を遊技盤３０の前面に貼付することで遊技盤３０に対して剥離可能にされている。これら前フィルム６１〜後フィルム６３のそれぞれは保護シートに相当するものであり、前後方向に重ねて前から順に剥離可能に遊技領域３７内に接合されている。
【００２０】
前フィルム６１〜後フィルム６３は相互に同一形状に設定されたものであり、図４〜図６のそれぞれに示すように、通路内保護部６４および通路外保護部６５を有している。各通路内保護部６４は発射通路３３内に位置する円弧状の部分を称するものであり、各通路外保護部６５は発射通路３３の外部に位置する幅広な部分を称するものであり、いずれも遊技盤３０の前面に遊技球が直接的に当ることに基づいて遊技盤３０の前面が汚損することを防止している。
【００２１】
外レール３１には、図７に示すように、切欠部６６が形成されている。この切欠部６６の内面と遊技盤３０の前面との間には空間状の挿入口６７が形成されており、挿入口６７内には前タブ６８と中タブ６９と後タブ７０が挿入されている。前タブ６８は前フィルム６１に形成されたものであり、中タブ６９は中フィルム６２に形成されたものであり、後タブ７０は後フィルム６３に形成されたものであり、前タブ６８〜後タブ７０はいずれも遊技盤３０の前面に貼付されていない。これら前タブ６８〜後タブ７０のそれぞれは摘みに相当するものである。
【００２２】
前タブ６８〜後タブ７０は、図７に示すように、外レール３１に沿って相互に重ならないように位置ずれした状態で配列されたものであり、遊技盤３０の外周面から突出することなく挿入口６７内を通して遊技領域３７の外部に突出している。この挿入口６７は前タブ６８〜後タブ７０のそれぞれを遊技領域３７の外部から内部に折返すためのものであり、前フィルム６１を剥離するときには、図７に二点鎖線で示すように、前タブ６８を遊技領域３７の外部から内部に挿入口６７を通して折返し、前タブ６８を把持して前フィルム６１を中フィルム６２から剥ぎ取る。中フィルム６２を剥離するときには中タブ６９を遊技領域３７の外部から内部に挿入口６７を通して折返し、中タブ６９を把持して中フィルム６２を後フィルム６３から剥ぎ取る。後フィルム６３を剥離するときには後タブ７０を遊技領域３７の外部から内部に挿入口６７を通して折返し、後タブ７０を把持して後フィルム６３を遊技盤３０から剥ぎ取る。図４は前フィルム６１〜後フィルム６３の３部材が遊技盤３０の前面に貼付された状態であり、図５は前フィルム６１だけが剥離された状態であり、図６は前フィルム６１および中フィルム６２の双方が剥離された状態である。
【００２３】
前タブ６８には、図７に示すように、剥離順序「１」が有色不透明に記入され、中タブ６９には剥離順序「２」が有色不透明に記入され、後タブ７０には剥離順序「３」が有色不透明に記入されており、前フィルム６１は前タブ６８に記入された剥離順序「１」に従って１番目に剥離され、中フィルム６２は中タブ６９に記入された剥離順序「２」に従って２番目に剥離され、後フィルム６３は後タブ７０に記入された剥離順序「３」に従って３番目に剥離される。
【００２４】
前フィルム６１〜後フィルム６３のそれぞれには、図８の（ｃ）に示すように、複数の切込み部７１が形成されている。これら各切込み部７１は前フィルム６１〜後フィルム６３を相互に貼付した状態で後フィルム６１〜前フィルム６３にプレス加工を施すことから形成されたものであり、円形状の釘挿入部７２および直線状の挿入介助部７３を有している。各釘挿入部７２の直径寸法は釘４２の本体部７４の直径寸法と同一に設定されており、各釘挿入部７２内には、図８の（ａ）に示すように、釘４２の本体部７４が密着状態で挿入されている。
【００２５】
各挿入介助部７３は前フィルム６１と中フィルム６２と後フィルム６３のそれぞれを剥離するときに釘挿入部７２が拡大することを助けるものであり、前フィルム６１と中フィルム６２と後フィルム６３のそれぞれを剥離するときには各釘挿入部７２の周縁部が釘４２の頭部７５によって押圧され、図８の（ｂ）に示すように、各挿入介助部７３が開くことに基づいて釘挿入部７２が大きくなり、図８の（ｃ）に示すように、各釘挿入部７２内を釘４２の頭部７５が通過することを許容する。即ち、切込み部７１は前フィルム６１と中フィルム６２と後フィルム６３のそれぞれを釘４２の頭部７５に引掛けることなく容易に剥離するためのものである。
【００２６】
遊技盤３０の前面には、図４に示すように、遊技領域３７の外部に位置して保護カバー７７が接合されている。この保護カバー７７は、図７に示すように、後面が開口する容器状をなすものであり、前タブ６８と中タブ６９と後タブ７０のそれぞれを把持不能に覆っている。この保護カバー７７は透明な合成樹脂を材料に形成されたものであり、前タブ６８と中タブ６９と後タブ７０のそれぞれは前方から保護カバー７７を通して視覚的に認識可能にされ、前タブ６８の剥離順序「１」と中タブ６９の剥離順序「２」と後タブ７０の剥離順序「３」のそれぞれも前方から保護カバー７７を通して視覚的に認識可能にされている。
【００２７】
保護カバー７７には長手方向の両端部のそれぞれに位置して板状の取付片７８が形成されており、各取付片７８には貫通孔が形成されている。これら各貫通孔内には前方からネジ７９が挿入されており、保護カバー７７は各ネジ７９を遊技盤３０に螺合することで遊技盤３０に接合されている。この保護カバー７７は各ネジ７９を遊技盤３０から螺脱することで取外され、各ネジ７９を遊技盤３０に再び螺合することで再び取付けられるものであり、前タブ６８と中タブ６９と後タブ７０のそれぞれは保護カバー７７を遊技盤３０から取外すことに基づいて把持可能になる。
２．裏樋８０の説明
裏樋８０は、図３に示すように、下部裏樋８１と左部裏樋８２と右部裏樋８３と上部裏樋８４の４部材を相互に四角枠状に組合せることから構成されたものであり、後方から裏樋８０を通して遊技盤３０に複数のネジを螺合することで遊技盤３０の後面に直接的に接合されている。この裏樋８０の下部裏樋８１には始動口挿入孔８５および特別入賞口挿入孔８６が形成されており、電動始動装置４４の樋５３は始動口挿入孔８５内に挿入され、特別電動入賞装置４５の樋５４は特別入賞口挿入孔８６内に挿入されている。この下部裏樋８１にはアウト口８７が形成されている。このアウト口８７は前後面が開口する筒状をなすものであり、遊技盤３０のアウト孔５５の内周面に嵌合されている。
【００２８】
下部裏樋８１には左下厚さ調整部８８および右下厚さ調整部８９が形成されている。これら左下厚さ調整部８８および右下厚さ調整部８９のそれぞれは遊技盤３０の前後方向の厚さ寸法を厚く調整するものであり、左下厚さ調整部８８は遊技盤３０と共に左下の支え部６および左下のストッパ９相互間で挟持され、右下厚さ調整部８９は遊技盤３０と共に右下の支え部６および右下のストッパ９相互間で挟持されている。上部裏樋８４には左上厚さ調整部９０および右上厚さ調整部９１が形成されている。これら左上厚さ調整部９０および右上厚さ調整部９１のそれぞれは遊技盤３０の前後方向の厚さ寸法を厚く調整するものであり、左上厚さ調整部９０は遊技盤３０と共に左上の支え部６および左上のストッパ７相互間で挟持され、右上厚さ調整部９１は遊技盤３０と共に右上の支え部６および右上のストッパ７相互間で挟持されている。
【００２９】
上部裏樋８４の前面には特別図柄表示器９２と普通図柄表示器９３と保留回数表示器９４が固定されており、特別図柄表示器９２と普通図柄表示器９３と保留回数表示器９４のそれぞれは、図４に示すように、後フィルム６１〜前フィルム６３の後方に配置されている。特別図柄表示器９２および普通図柄表示器９３のそれぞれは８セグメント形のＬＥＤ表示器から構成されたものであり、特別図柄表示器９２には大当りおよび外れを識別するための特別図柄が表示され、普通図柄表示器９３には当りおよび外れを識別するための識別図柄が表示される。保留回数表示器９４は装飾図柄遊技の保留回数を表示するものであり、４個のＬＥＤ９５から構成されている。
３．液晶ステー１００の説明
液晶ステー１００は、図３に示すように、下部ステー１０１と左部ステー１０２と右部ステー１０３と上部ステー１０４を有する矩形枠状をなすものであり、下部ステー１０１と左部ステー１０２と右部ステー１０３と上部ステー１０４は単一物として一体成形されている。この液晶ステー１００は後方から液晶ステー１００を通して裏樋８０に複数のネジを螺合することで裏樋８０の後面に直接的に接合されたものであり、裏樋８０と共にスペーサ１１０（図２参照）を構成している。
３．下意匠板１２０の説明
下意匠板１２０は前方から下意匠板１２０を通して下部裏樋８１に複数のネジを螺合することで下部裏樋８１の前面に直接的に接合されたものであり、遊技盤３０と下部裏樋８１との間に配置されている。この下意匠板１２０の前面には絵柄が印刷されており、下意匠板１２０の絵柄は前方から遊技盤３０を通して視覚的に認識可能にされている。この下意匠板１２０には、図３に示すように、始動口挿入孔１２１と特別入賞口挿入孔１２２と切欠部１２３が形成されており、電動始動装置４４の樋５３は始動口挿入孔１２１内を通して下部裏樋８１の始動口挿入孔８５内に挿入され、特別電動入賞装置４５の樋５４は特別入賞口挿入孔１２２内を通して下部裏樋８１の特別入賞口挿入孔８６内に挿入され、下部裏樋８１のアウト口８７は切欠部１２３を通して遊技盤３０のアウト孔５５内に嵌合されている。
４．上意匠板１３０の説明
上意匠板１３０は透明な合成樹脂製の板から構成されたものである。この上意匠板１３０は前方から上意匠板１３０を通して上部裏樋８４に複数のネジを螺合することで上部裏樋８４の前面に直接的に接合されたものであり、遊技盤３０と上部裏樋８４との間に配置されている。この上意匠板１３０の前面には絵柄が印刷されており、上意匠板１３０の絵柄は前方から遊技盤３０を通して視覚的に認識可能にされている。この上意匠板１３０には窓部１３１が形成されている。この窓部１３１は上意匠板１３０のうち絵柄が印刷されていない透明部分を称するものであり、上部裏樋８４の特別図柄表示器９２と普通図柄表示器９３と保留回数表示器９４はいずれも窓部１３１の後方に配置され、前方から前フィルム６１〜後フィルム６３と遊技盤３０と窓部１３１を通して視覚的に認識可能にされている。
５．裏樋カバー１４０の説明
裏樋カバー１４０は後方から裏樋カバー１４０を通して下部裏樋８１に複数のネジを螺合することで下部裏樋８１の後面に直接的に接合されたものであり、裏樋カバー１４０には球排出路が形成されている。この球排出路は電動始動装置４４の樋５３から落下した遊技球および特別電動入賞装置４５の樋５４から落下した遊技球のそれぞれが進入するものであり、樋５３から落下した遊技球および樋５４から落下した遊技球はいずれも球排出路を通して裏樋カバー１４０の外部に排出される。
６．表示器ケース１５０の説明
表示器ケース１５０は下板部１５１と左板部１５２と右板部１５３と上板部１５４と後板部１５５を有する矩形皿状をなすものであり、下板部１５１と左板部１５２と右板部１５３と上板部１５４と後板部１５５相互間には空間状の表示器収納部１５６が形成されている。この表示器ケース１５０の下板部１５１には２枚の下プレート１５７が形成され、表示器ケース１５０の上板部１５４には１枚の上プレート１５８が形成されており、各下プレート１５７には後方から複数のネジが挿入され、上プレート１５８には後方から複数のネジが挿入されている。各下プレート１５７に挿入された複数のネジのそれぞれは下部裏樋８１に螺合され、上プレート１５８に挿入された複数のネジのそれぞれは上部裏樋８４に螺合されており、表示器ケース１５０は裏樋８０を介して遊技盤３０の後面に間接的に接合され、液晶ステー１００は、図２に示すように、表示器ケース１５０の前方に表示器収納部１５６から突出するように配置されている。
７．装飾図柄表示器１６０の説明
装飾図柄表示器１６０は表示器ケース１５０の表示器収納部１５６内に収納されたものであり、図３に示すように、表示画面１６１および表示画面１６１を保持する矩形状の画面フレーム１６２を有している。この画面フレーム１６２は液晶ステー１００と表示器ケース１５０の後板部１５５との間で挟持されており、装飾図柄表示器１６０は遊技盤３０の後面に裏樋８０および液晶ステー１００を介して間接的に接合されている。この装飾図柄表示器１６０の画面フレーム１６２には外部から表示器ケース１５０を通して複数のネジが螺合されており、装飾図柄表示器１６０は複数のネジを介して表示器ケース１５０に接合されている。
【００３０】
装飾図柄表示器１６０の表示画面１６１は下部裏樋８１と左部裏樋８２と右部裏樋８３と上部裏樋８４で囲まれた内部空間および下部ステー１０１と左部ステー１０２と右部ステー１０３と上部ステー１０４で囲まれた内部空間の後方に配置されている。この表示画面１６１は大当りおよび外れを識別する装飾図柄遊技の映像が表示されるものであり、前方から遊技盤３０と裏樋８０の内部空間と液晶ステー１００の内部空間を通して全体が視覚的に認識可能にされている。
８．表示基板ボックス１７０の説明
表示基板ボックス１７０は、図３に示すように、表示器ケース１５０の後板部１５５に接合されたものである。この表示基板ボックス１７０の内部にはプリント配線基板が収納されており、プリント配線基板には表示制御回路１７１が搭載されている。この表示制御回路１７１はマイクロコンピュータを主体に構成されたものであり、表示画面１６１の表示内容を制御することで表示画面１６１に装飾図柄遊技の映像を表示する。
９．遊技盤ユニット２０の着脱手順の説明
遊技盤ユニット２０は上皿板１２および窓枠１７の双方が開放された状態で前方から内枠２の遊技盤収納部５内に収納されるものであり、遊技盤３０は遊技盤収納部５内に遊技盤ユニット２０の構成部品として収納される。この遊技盤ユニット２０の収納状態では裏樋８０の左下厚さ調整部８８と右下厚さ調整部８９と左上厚さ調整部９０と右上厚さ調整部９１のそれぞれが内枠２の支え部６によって後方から支えられ、左下厚さ調整部８８が遊技盤３０と共に前方のストッパ９と後方の支え部６との間で挟持され、右下厚さ調整部８９が遊技盤３０と共に前方のストッパ９と後方の支え部６との間で挟持されており、残りの各ストッパ７が遊技盤３０に前方から重なるロック状態に回動操作されたときには左上厚さ調整部９０が遊技盤３０と共に前方のストッパ７と後方の支え部６との間で挟持され、右上厚さ調整部９１が遊技盤３０と共に前方のストッパ７と後方の支え部６との間で挟持される。遊技盤ユニット２０は上皿板１２および窓枠１７の双方が開放された状態で内枠２の遊技盤収納部５内から取外されるものである。この場合には両ストッパ７を遊技盤３０の前方から外れるアンロック状態に回動操作し、左上厚さ調整部９０と右上厚さ調整部９１のそれぞれを遊技盤３０と共に挟持解除状態にする。
１０．遊技機能の説明
１０−１．普通図柄遊技機能
普通図柄表示器９３には普通図柄が可変停止状態で表示されており、遊技球が普通図柄始動ゲート５０内を通過したときには普通図柄が可変停止状態から可変状態になり、可変状態から可変停止状態になる。この可変状態とは普通図柄を「外れの態様（×）」および「当りの態様（○）」で交互に切換え表示するものであり、普通図柄が可変停止状態で当りの態様になったときには当り遊技が開始され、普通図柄が外れの態様になったときには当り遊技が開始されない。この当り遊技は電動始動装置４４の両羽根板４８を拡大状態に操作し、電動始動装置４４の下特別図柄始動口４７を遊技球が入賞可能な開放状態に切換えることで電動始動装置４４を遊技球が通常状態に比べて容易に入賞することが可能な特別状態にするものであり、両羽根板４８は下特別図柄始動口４７の開放時間が上限値に達するまで拡大状態に保持される。
１０−２．特別図柄遊技機能
特別図柄表示器９２には特別図柄が可変停止状態で表示されており、遊技球が電動始動装置４４の上特別図柄始動口４６内および下特別図柄始動口４７内のいずれかに入賞したときには特別図柄が可変停止状態から可変状態になり、可変状態から可変停止状態になる。この可変状態とは特別図柄を「外れの態様（―）」→「通常大当りの態様（３）」→「特別大当りの態様（７）」→「外れの態様（―）」・・・の順序で循環的に切換え表示するものであり、特別図柄が可変停止状態で通常大当りの態様および特別大当りの態様のいずれかになったときには大当り遊技が開始され、特別図柄が外れの態様になったときには大当り遊技が開始されない。この大当り遊技は特別電動入賞装置４５の扉４９を開放し、特別電動入賞装置４５の特別入賞口内に遊技球が入賞することを許容する遊技者有利の状態を発生させるものであり、扉４９は特別入賞口内に上限値（例えば１０個）の遊技球が入賞する個数条件または開放時間が上限値（例えば３０ｓｅｃ）に達する時間条件が満足されるまで開放状態に保持される。この扉４９の個数条件および時間条件を基準とする開閉動作は大当りラウンドと称されるものであり、大当りラウンドは固定的な設定回数（例えば１５回）だけ繰返される。
１０−３．装飾図柄遊技機能
装飾図柄表示器１６０の表示画面１６１には装飾図柄の左列の図柄要素と中列の図柄要素と右列の図柄要素が変動停止状態で表示されており、遊技球が電動始動装置４４の上特別図柄始動口４６内および下特別図柄始動口４７内のいずれかに入賞したときには３列の図柄要素が変動停止状態から変動状態になり、変動状態から変動停止状態になる。この変動状態とは縦一列に並ぶ「１」〜「８」の８種の図柄要素を縦方向に表示範囲が移動するようにスクロール表示するものであり、各列の図柄要素は上から下へ移動しながら「１」→「２」→「３」→「４」→「５」→「６」→「７」→「８」→「１」…の順序で循環的に変化する。
【００３１】
装飾図柄が変動停止状態で通常大当りの組合せおよび特別大当りの組合せのいずれかになったときには大当り遊技が開始され、装飾図柄が通常大当りの組合せおよび特別大当りの組合せのいずれにもならなかったときには大当り遊技が開始されない。通常大当りの組合せとは左列の図柄要素と中列の図柄要素と右列の図柄要素が相互に同一な組合せを称するものであり、通常大当りの組合せには「２２２」「４４４」「６６６」「８８８」の４通りが設定されている。特別大当りの組合せとは左列の図柄要素と中列の図柄要素と右列の図柄要素が相互に同一な組合せを称するものであり、特別大当りの組合せには「１１１」「３３３」「５５５」「７７７」の４通りが設定されている。この装飾図柄の変動停止状態での組合せは特別図柄の可変停止状態での態様に応じて決まるものであり、特別図柄が通常大当りの態様で可変停止するときには装飾図柄が通常大当りの組合せで変動停止し、特別図柄が特別大当りの態様で可変停止するときには装飾図柄が特別大当りの組合せで変動停止し、特別図柄が外れの態様で可変停止するときには装飾図柄が通常大当りの組合せおよび特別大当りの組合せのいずれとも相違する外れの組合せで変動停止する。
１０−４．保留機能
装飾図柄遊技を即座に開始することができない装飾図柄遊技中に遊技球が上特別図柄始動口４６内および下特別図柄始動口４７内のいずれかに入賞したり、装飾図柄遊技を即座に開始することができない大当り遊技中に遊技球が上特別図柄始動口４６内および下特別図柄始動口４７内のいずれかに入賞したときには装飾図柄遊技が保留される。この装飾図柄遊技の保留回数には上限値（例えば４回）が設定されており、保留回数が上限値に到達した状態で遊技球が上特別図柄始動口４６内および下特別図柄始動口４７内のいずれかに入賞したときには装飾図柄遊技が保留されない。保留回数表示器９４は装飾図柄遊技の保留回数を表示するものであり、保留回数が「１」であるときには１個のＬＥＤ９５が点灯し、保留回数が「２」であるときには２個のＬＥＤ９５が点灯し、保留回数が「３」であるときには３個のＬＥＤ９５が点灯し、保留回数が「４」であるときには４個のＬＥＤ９５が点灯する。
１０−５．確率変動機能
確率変動モードは大当りを確率変動モードの無効状態に比べて高い一定確率で判定する高確率モードである。この確率変動モードは特別図柄が特別大当りの態様で停止表示されることに基づいて有効化されるものであり、特別図柄が通常大当りの態様で停止表示されることに基づいて無効化される。この確率変動モードの有効状態では当りの判定確率が確率変動モードの無効状態に比べて高められ、電動始動装置４４の両羽根板４８の拡大時間が確率変動モードの無効状態に比べて延長されており、確率変動モードの無効状態に比べて多数個の遊技球が電動始動装置４４の下特別図柄始動口４７内に入賞可能になる。
【００３２】
上記実施例１によれば次の効果を奏する。
前フィルム６１の外周縁の一部に前タブ６８を形成し、中フィルム６２の外周縁の一部に中タブ６９を形成し、後フィルム６３の外周縁の一部に後タブ７０を形成した。このため、前タブ６８を掴んで前フィルム６１を遊技盤３０から剥離することができ、中タブ６９を掴んで中フィルム６２を遊技盤３０から剥離することができ、後タブ７０を掴んで後フィルム６３を遊技盤３０から剥離することができるので、前フィルム６１〜後フィルム６３のそれぞれを遊技盤３０から剥離する最初の作業を円滑に行うことが可能になる。
【００３３】
前タブ６８〜後タブ７０の３部材を覆う保護カバー７７を遊技盤３０に固定した。このため、前タブ６８〜後タブ７０のそれぞれに手を触れることが禁止されている印象をパチンコホールの従業員に与えることができるので、前フィルム６１〜後フィルム６３のそれぞれを剥がす役目にない（前フィルム６１〜後フィルム６３のそれぞれを剥がすとは製造者側が想定していない）パチンコホールの従業員が前タブ６８を掴んで前フィルム６１を遊技盤３０から勝手に剥がしてしまうこと、中タブ６９を掴んで中フィルム６２を遊技盤３０から勝手に剥がしてしまうこと、後タブ７０を掴んで後フィルム６３を遊技盤３０から勝手に剥がしてしまうことのそれぞれを防止できる。従って、遊技盤３０を再利用するときに前フィルム６１〜後フィルム６３の全てが既に剥がされている事態が発生し難くなるので、遊技盤３０を洗浄することなく美麗なまま再利用することが前タブ６８〜後タブ７０を設けた影響で不能になることを防止できる。
【００３４】
前タブ６８と中タブ６９と後タブ７０を相互に位置ずれした状態で配置したので、製造者側で前フィルム６１を剥離する場合に前タブ６８だけを掴んで操作することが可能になり、中フィルム６２を剥離する場合に中タブ６９だけを掴んで操作することが可能になる。このため、前フィルム６１を剥離する場合には前フィルム６１だけに操作力が集中的に作用するようになり、中フィルム６２を剥離する場合には中フィルム６２だけに操作力が集中的に作用するようになるので、前フィルム６１を剥離する場合に中フィルム６２の全体または一部が前フィルム６１に追従して剥れることを抑えることができ、中フィルム６２を剥離する場合に後フィルム６３の全体または一部が中フィルム６２に追従して剥れることを抑えることができる。この場合、中タブ６９を上から押えて前タブ６８を操作することで中フィルム６２の全体または一部が前フィルム６１に追従して剥れたり、後タブ７０を上から押えて中タブ６９を操作することで後フィルム６３の全体または一部が中フィルム６２に追従して剥れることを効果的に抑えることもできる。従って、中フィルム６２の一部または後フィルム６３の一部で光の透過率が局部的に変化することが抑えられるので、遊技盤３０を通して装飾図柄表示器１６０の映像を見るときに装飾図柄表示器１６０の映像が局部的に歪むことも抑えることができる。
【００３５】
前タブ６８〜後タブ７０のそれぞれが遊技領域３７の外部から挿入口６７を通して遊技領域３７の内部に折返されることを許容した。このため、製造者側で前フィルム６１を剥離する場合に前タブ６８を遊技領域３７の外部から内部に挿入口６７を通して折返すことができ、中フィルム６２を剥離する場合に中タブ６９を遊技領域３７の外部から内部に挿入口６７を通して折返すことができ、後フィルム６３を剥離する場合に後タブ７０を遊技領域３７の外部から内部に挿入口６７を通して折返すことができるので、前タブ６８〜後タブ７０のそれぞれを外レール３１に邪魔されることなく容易に操作することが可能になる。
【００３６】
前タブ６８〜後タブ７０のそれぞれを遊技領域３７の外部に配置したので、前タブ６８〜後タブ７０のそれぞれに遊技球が接触することがなくなる。このため、前タブ６８〜後タブ７０のそれぞれが遊技球からの外力で捲れることがなくなるので、前タブ６８〜後タブ７０の耐久性がそれぞれに向上する。しかも、前タブ６８〜後タブ７０のそれぞれを遊技盤３０の外周面から突出しないように配置した。このため、遊技盤３０を内枠２の遊技盤収納部５内から取外す場合および遊技盤３０を内枠２の遊技盤収納部５内に取付ける場合に前タブ６８〜後タブ７０のそれぞれが内枠２に引掛ることがなくなるので、前フィルム６１〜後フィルム６３のそれぞれが外力で捲れることがなくなる。
【００３７】
前フィルム６１〜後フィルム６３のそれぞれに切込み部７１を設けた。このため、製造者側で前フィルム６１〜後フィルム６３のそれぞれを剥離するときに前フィルム６１〜後フィルム６３のそれぞれが釘４２の頭部７５に引掛り難くなるので、前フィルム６１〜後フィルム６３のそれぞれを容易に剥離することが可能になる。
【００３８】
前タブ６８〜後タブ７０のそれぞれに剥離順序を記入したので、製造者側で前フィルム６１〜後フィルム６３を剥離順序に従って前から順に間違えることなく剥離することができる。しかも、前タブ６８〜後タブ７０のうち遊技盤３０から剥離したものに記入された剥離順序または前タブ６８〜後タブ７０のうち遊技盤３０に残ったものに記入された剥離順序に基づいて保護シートの残り枚数を容易に把握することもできる。
【実施例２】
【００３９】
遊技盤３０の前面には、図９に示すように、保護フィルム群１８０が接合されている。この保護フィルム群１８０は前フィルム１８１と中フィルム１８２と後フィルム１８３を有するものであり、後フィルム１８３は遊技盤３０の前面に貼付され、中フィルム１８２は後フィルム１８３の前面に貼付され、前フィルム１８１は中フィルム１８２の前面に貼付されている。これら前フィルム１８１〜後フィルム１８３は同一の無色透明な合成樹脂を材料に形成されたものであり、後フィルム１８３は後面の粘着層を遊技盤３０の前面に貼付することで剥離可能にされ、中フィルム１８２は後面の粘着層を後フィルム１８３の前面に貼付することで剥離可能にされ、前フィルム１８１は後面の粘着層を中フィルム１８２の前面に貼付することで剥離可能にされている。これら前フィルム１８１〜後フィルム１８３のそれぞれは保護シートに相当するものであり、図１０〜図１２に示すように、遊技領域３７のうち転動領域３８内のみに位置する同一形状に設定されている。
【００４０】
外レール３１の右側部には、図９に示すように、凹部１８４が形成されており、凹部１８４の内面と遊技盤３０の前面との間には空間状の挿入口１８５が形成されている。この挿入口１８５内には前タブ１８６と中タブ１８７と後タブ１８８が挿入されており、前タブ１８６には剥離順序「１」が記入され、中タブ１８７には剥離順序「２」が記入され、後タブ１８８には剥離順序「３」が記入されている。前タブ１８６は前フィルム１８１の外周縁に形成されたものであり、中タブ１８７は中フィルム１８２の外周縁に形成されたものであり、後タブ１８８は後フィルム１８３の外周縁に形成されたものであり、前タブ１８６〜後タブ１８８はいずれも遊技盤３０の前面に貼付されていない。これら前タブ１８６〜後タブ１８８のそれぞれは摘みに相当するものであり、相互に重ならないように位置ずれした状態で外レール３１に沿って配列され、遊技盤３０の外周面から突出することなく挿入口１８５の内部を通して遊技領域３７の外部に突出している。
【００４１】
前フィルム１８１を剥離するときには前タブ１８６を遊技領域３７の外部から内部に挿入口１８５を通して折返し、前タブ１８６を把持して前フィルム１８１を剥ぎ取る。中フィルム１８２を剥離するときには中タブ１８７を遊技領域３７の外部から内部に挿入口１８５を通して折返し、中タブ１８７を把持して中フィルム１８２を剥ぎ取る。後フィルム１８３を剥離するときには後タブ１８８を遊技領域３７の外部から内部に挿入口１８５を通して折返し、後タブ１８８を把持して後フィルム１８３を剥ぎ取る。図１０は前フィルム１８１〜後フィルム１８３がいずれも剥離されていない状態であり、図１１は前フィルム１８１のみが剥離された状態であり、図１２は前フィルム１８１および中フィルム１８２の双方が剥離された状態である。
【００４２】
遊技盤３０の前面には、図１０に示すように、有色不透明な合成樹脂製の球止め部材１９０が接合されており、球止め部材１９０は外レール３１の右端部および内レール３２の右端部相互間の隙間を塞いでいる。この球止め部材１９０は後面が開口する容器状をなすものであり、前板および前板を取囲む周板を有している。この球止め部材１９０の周板には３個の取付片１９１が形成されており、各取付片１９１には貫通孔が形成されている。これら各貫通孔には、図９に示すように、釘１９２が挿入されており、球止め部材１９０は各釘１９２を遊技盤３０に打込むことで遊技盤３０に接合され、各釘１９２を遊技盤３０から抜取ることで遊技盤３０から取外される。
【００４３】
球止め部材１９０には保護カバーに相当するタブカバー１９３が形成されている。このタブカバー１９３は後面が開口する容器状をなすものであり、前板および前板を取囲む周板を有している。このタブカバー１９３は、図１０に示すように、球止め部材１９０のうち内レール３２に沿って延びる部分を称するものであり、図９に示すように、前タブ１８６と中タブ１８７と後タブ１８８のそれぞれを把持不能および視認不能に覆っている。
【００４４】
上記実施例２によれば次の効果を奏する。
外レール３１および内レール３２相互間の隙間を塞ぐ球止め部材１９０に前タブ１８６と中タブ１８７と後タブ１８８のそれぞれを覆うタブカバー１９３を形成した。このため、専用のタブカバーが不要になるので、構成が簡単になる。しかも、前タブ１８６〜後タブ１８８のそれぞれをタブカバー１９３によって視認不能に覆った。このため、パチンコホールの従業員が前タブ１８６〜後タブ１８８のそれぞれの存在に気付き難くなるので、前タブ１８６を掴んで前フィルム１８１を遊技盤３０から勝手に剥がしてしまうこと、中タブ１８７を掴んで中フィルム１８２を遊技盤３０から勝手に剥がしてしまうこと、後タブ１８８を掴んで後フィルム１８３を遊技盤３０から勝手に剥がしてしまうことのそれぞれを防止できる。
【００４５】
上記実施例１においては、製造者側が保護カバー７７を遊技盤３０から取外すことが可能でパチンコホール側が保護カバー７７を遊技盤３０から取外すことが不能となるように保護カバー７７を遊技盤３０にロックしても良い。この場合、専用の工具が必要なネジを使用して保護カバー７７を遊技盤３０に接合すると良い。このことは上記実施例２においても同様である。
【００４６】
上記実施例１においては、前タブ６８〜後タブ７０のそれぞれを遊技領域３７の内部のうち装飾図柄表示器１６０の表示画面１６１の前方を除く部分に配置しても良い。例えば前タブ６８〜後タブ７０のそれぞれを遊技領域３７の内部のうち上意匠板１３０の前方または下意匠板１２０の前方に配置すると良く、前タブ６８〜後タブ７０のそれぞれを上意匠板１３０の前方に配置したときには遊技領域３７内に配置された飾りレール３９等の遊技部品に保護カバーを形成し、前タブ６８〜後タブ７０のそれぞれを下意匠板１２０の前方に配置したときには遊技領域３７内に配置された特別入賞口装置４５等の遊技部品に保護カバーを形成し、前タブ６８〜後タブ７０のそれぞれを保護カバーによって覆うことが好ましい。このことは上記実施例２においても同様である。
【００４７】
上記実施例１においては、前タブ６８を前フィルム６１の輪郭線の角部に形成し、中タブ６９を中フィルム６２の輪郭線の角部に形成し、後タブ７０を後フィルム６３の輪郭線の角部に形成しても良い。この構成の場合、前タブ６８を掴んで前フィルム６１を剥がすときに前フィルム６１が輪郭線の角部を起点に遊技盤３０から剥離されるようになるので、前フィルム６１を剥がし易くなる。この効果は中タブ６９および後タブ７０のそれぞれについても同様である。
【００４８】
上記実施例１においては、各切込み部７１を４本の挿入介助部７３が釘挿入部７２を中心に形成された十字状に設定しても良い。
上記実施例１においては、前フィルム６１〜後フィルム６３として遊技領域３７の全体を保護するものを使用しても良い。
【００４９】
上記実施例１においては、前タブ６８〜後タブ７０に剥離順序を数字以外の符号または色分けで表示しても良い。または、前タブ６８を三角形状、中タブ６９を四角形状、後タブ７０を半円形状にする等、前タブ６８〜後タブ７０の形状を相互に異ならせても良い。このことは上記実施例２においても同様である。
【００５０】
上記実施例１〜２のそれぞれにおいては、透光性の遊技盤３０に換えてベニヤ製の遊技盤を使用しても良い。この場合、相互に異なる模様が形成された複数の保護シートを遊技盤の前面側に積層状態で接合しておき、複数の保護シートを前から順に剥離することで遊技盤の前面を模様替えすると良い。
【００５１】
上記実施例１においては、前フィルム６１および中フィルム６２の両者を廃止し、遊技盤３０の前面に１枚の後フィルム６３を剥離可能に貼付しても良い。このことは上記実施例２についても同様である。
【図面の簡単な説明】
【００５２】
【図１】実施例１を示す図（パチンコ遊技機の全体構成を示す斜視図）
【図２】遊技盤ユニットおよび内枠の両者を分解状態で示す斜視図
【図３】遊技盤ユニットそのものを分解状態で示す斜視図
【図４】遊技盤を前フィルムと中フィルムと後フィルムの装着状態で示す前面図
【図５】遊技盤を前フィルムの剥離状態で示す前面図
【図６】遊技盤を中フィルムの剥離状態で示す前面図
【図７】（ａ）はＸａ線に沿う断面図、（ｂ）は前タブと中タブと後タブを示す前面図
【図８】釘が切込み部を通過する様子を示す斜視図
【図９】実施例２を示す図（ａは前タブと中タブと後タブを示す前面図、ｂはＸｂ線に沿う断面図）
【図１０】図４相当図
【図１１】図５相当図
【図１２】図６相当図
【符号の説明】
【００５３】
１は外枠、２は内枠、５は遊技盤収納部、３０は遊技盤、３７は遊技領域、６１は前フィルム、６２は中フィルム、６３は後フィルム、６７は挿入口、６８は前タブ、６９は中タブ、７０は後タブ、７６はレール部材、７７は保護カバー、１８１は前フィルム、１８２は中フィルム、１８３は後フィルム、１８５は挿入口、１８６は前タブ、１８７は中タブ、１８８は後タブ、１９３はタブカバーを示している。
【図１】
2007319215.tif 000003
【図２】
2007319215.tif 000004
【図３】
2007319215.tif 000005
【図４】
2007319215.tif 000006
【図５】
2007319215.tif 000007
【図６】
2007319215.tif 000008
【図７】
2007319215.tif 000009
【図８】
2007319215.tif 000010
【図９】
2007319215.tif 000011
【図１０】
2007319215.tif 000012
【図１１】
2007319215.tif 000013
【図１２】
2007319215.tif 000014